(57)【要約】【課題】着用者の脊柱を直立させる効果が高く脊柱の動きを阻害しないカップ付き女性用衣類を提供する。【解決手段】前脇パネル部２は、張りとコシを有する非伸縮性または難伸縮性の素材により構成されており、カップ部下辺縁部、上辺部、背側縁部および下辺部に囲まれた形状を成している。前身頃押え布３は、斜め方向および縦方向には伸縮し、横方向には非伸縮あるいは難伸縮である素材により構成されており、前中心下辺縁部、カップ部下辺縁部、上辺部、背側縁部、側辺部および下辺部に囲まれた形状を成している。このような前脇パネル部２および前身頃押え布３を備えることにより、着用者の肋骨が前脇パネル部２によって脇から押えられるとともに、着用者の第７肋骨の胸部前面が前身頃押え布３によって前側から押えられる。これにより息を吸い込んだ状態の胸郭が創り出される。【選択図】  図６
2004332144.tif 000002
【特許請求の範囲】
【請求項１】
左右一対のカップ部と、
前記カップ部の下部に連結される伸縮性の胴部とを備えるカップ付き女性用衣類において、
前記カップ部の脇側下辺縁に連なり、前記胴部の脇側上部であり、かつ、腋窩線よりも前側に対応する部分を覆う非伸縮性または難伸縮性の前脇パネル部と、
前記カップ部の下辺縁に連なり、少なくとも肋骨下部の胸部前面までを覆い、横方向に非伸縮または難伸縮の前側押え布とを備えることを特徴とするカップ付き女性用衣類。
【請求項２】
左右一対のカップ部と、
前記カップ部の下部に連結される伸縮性の土台部と、
前記土台部の背側に連結される伸縮性のバック部とを備えるカップ付き女性用衣類において、
前記カップ部の脇側下辺縁に連なり、前記土台部の脇側上部であり、かつ、腋窩線よりも前側に対応する部分を覆う非伸縮性または難伸縮性の前脇パネル部と、
前記カップ部の下辺縁に連なり、前記土台部のアンダー部分および脇部分の一部に対応する部分を覆い、横方向に非伸縮または難伸縮の前側押え布と、
前記土台部の下辺縁から上方向に縦長に延びる肋骨押圧部材と、
を備えることを特徴とするカップ付き女性用衣類。
【請求項３】
前記両カップ部の間にある前中心部分の上部を覆う非伸縮性または難伸縮性の前中心パネル部をさらに備えることを特徴とする請求項１または２に記載のカップ付き女性用衣類。
【請求項４】
前記前脇パネル部の下辺部は、前記両カップ部の最下点を結ぶラインの延長線上または当該延長線上よりも下側に位置することを特徴とする請求項１〜３のいずれか１項に記載のカップ付き女性用衣類。
【請求項５】
前記前脇パネル部の下辺部において、当該下辺部の前中心側端部と背側端部との間は、腹部中心方向に凸状に張り出した形状であることを特徴とする請求項１〜４のいずれか１項に記載のカップ付き女性用衣類。
【請求項６】
前記前脇パネル部の下辺部の背側端部は、第７肋骨の下辺部分と第８肋骨の上辺部分との間を通るラインの延長線上に位置することを特徴とする請求項１〜５のいずれか１項に記載のカップ付き女性用衣類。
【請求項７】
前記前側押え布は、斜め方向または縦方向に伸縮性を有することを特徴とする請求項１〜６のいずれか１項に記載のカップ付き女性用衣類。
【請求項８】
前記肋骨押圧部材は、装着状態において第７肋骨を上から押えることを特徴とする請求項２記載のカップ付き女性用衣類。
【発明の詳細な説明】
【０００１】
【発明の属する技術分野】
本発明は、カップ付き女性用衣類に関し、特に詳細にはボディスーツ、ブラジャー等の姿勢矯正用のカップ付き女性用衣類に適用される。
【０００２】
【従来の技術】
カップ付き女性用衣類の代表例であるボディスーツやブラジャーは、下着としての機能を果たすだけではなく、美しいボディラインを創り出し、そのボディラインを維持することで体型を補正させる機能をも果たすことが要求されている。このような女性用衣類として、例えば、特許文献１には、非伸縮性の押え布を配設したファンデーションが開示されている。このファンデーションでは、肩甲骨下部に対応する位置で交差するように配設された非伸縮性の押え布で肩甲骨下部を強力に締め付けるとともに、この押え布でウエスト部分を上部に引っ張って背筋を伸ばす働きを促すことにより猫背型の姿勢の矯正を実現している。
【０００３】
【特許文献１】
登録実用新案第３０８０３９８号公報
【０００４】
【発明が解決しようとする課題】
しかし、特許文献１に開示された姿勢補正用の女性用衣類は、非伸縮性の押え布で背筋を伸ばすことにより猫背型の姿勢を矯正しようとしているため、脊柱の動きを阻害してしまい日常の動作に支障がある。
【０００５】
そこで本発明は、着用者の脊柱を直立させる効果が高く、脊柱の動きを阻害しない姿勢矯正用のカップ付き女性用衣類を提供することを目的とする。
【０００６】
【課題を解決するための手段】
本発明は、左右一対のカップ部と、カップ部の下部に連結される伸縮性の胴部とを備えるカップ付き女性用衣類において、カップ部の脇側下辺縁に連なり、胴部の脇側上部であり、かつ、腋窩線よりも前側に対応する部分を覆う非伸縮性または難伸縮性の前脇パネル部と、カップ部の下辺縁に連なり、少なくとも肋骨下部の胸部前面までを覆い、横方向に非伸縮または難伸縮の前側押え布とを備えることを特徴とする。
【０００７】
この発明によれば、横方向に非伸縮または難伸縮である前側押え布と、非伸縮性または難伸縮性である前脇パネル部とが伸縮性を有する胴部に備えられているため、着用状態で伸長された胴部に生じた元に戻ろうとする力が、前脇パネル部および前側押え布に作用する。これにより、胸郭の脇側付近が前脇パネル部によって外側からしっかりと押えられるとともに、胸部前面が前側押え布によって前側からしっかりと押えられる。このため、深呼吸の吸気時のように背筋を伸ばして胸を張った状態が実現できるので、無理なく脊柱を直立させて姿勢を矯正できる。
【０００８】
本発明は、左右一対のカップ部と、カップ部の下部に連結される伸縮性の土台部と、土台部の背側に連結される伸縮性のバック部とを備えるカップ付き女性用衣類において、カップ部の脇側下辺縁に連なり、土台部の脇側上部であり、かつ、腋窩線よりも前側に対応する部分を覆う非伸縮性または難伸縮性の前脇パネル部と、カップ部の下辺縁に連なり、土台部のアンダー部分および脇部分の一部に対応する部分を覆い、横方向に非伸縮または難伸縮の前側押え布と、土台部の下辺縁から上方向に縦長に延びる肋骨押圧部材とを備えることを特徴とする。
【０００９】
この発明によれば、非伸縮性または難伸縮性の前脇パネル部により胸部の脇側付近が覆われ、横方向に非伸縮または難伸縮である前側押え布により胸部の前面付近が覆われ、さらに肋骨押圧部材が胸部の前面付近に位置するため、着用状態で伸長された土台部およびバック部に生じた元に戻ろうとする力が、前脇パネル部、前側押え布および肋骨押圧部材に作用する。これにより、胸郭の脇側付近が前脇パネル部によって外側からしっかりと押えられるとともに、胸部前面が肋骨押圧部材および前側押え布によって前側から外側に開くように押えられる。このため、深呼吸の吸気時のように背筋を伸ばして胸を張った状態が実現できるので、無理なく脊柱を直立させて姿勢を矯正できる。
【００１０】
本発明に係るカップ付き女性用衣類において、両カップ部の間にある前中心部分の上部を覆う非伸縮性または難伸縮性の前中心パネル部をさらに備えることが好ましく、このようにすれば、着用状態で伸長された前中心等に生じた元に戻ろうとする力が、前中心パネル部に作用する。これにより、胸郭の前面付近を、前側からしっかりと押えられるとともに、前脇パネル部に作用する力も増強される。
【００１１】
本発明に係るカップ付き女性用衣類において、前脇パネル部の下辺部は、両カップ部の最下点を結ぶラインの延長線上または当該延長線上よりも下側に位置することが好ましい。このようにすれば、前脇パネル部によって、胸郭の脇側付近が外側からしっかりと押えられる。
【００１２】
また、本発明に係るカップ付き女性用衣類の前脇パネル部の下辺部において、当該下辺部の前中心側端部と背側端部との間は、腹部中心方向に凸状に張り出した形状であることが好ましい。このようにすれば、胸郭の脇側付近をより大きな面積で覆うことができ、効果が増大する。
【００１３】
本発明に係るカップ付き女性用衣類において、前脇パネル部の下辺部の背側端部は、第７肋骨の下辺部分と第８肋骨の上辺部分との間を通るラインの延長線上に位置することが好ましく、このようにすれば、前脇パネル部に生じる力を、胸郭の脇側付近に、より確実に伝えることができる。
【００１４】
本発明に係るカップ付き女性用衣類において、前側押え布は、斜め方向または縦方向に伸縮性を有することが好ましく、このようにすれば、着用状態で斜め方向または縦方向に伸長された前側押え布には、元に戻ろうとする力がより大きく生じるため、前脇パネル部および胸部前面に作用する力が増強される。
【００１５】
本発明に係るカップ付き女性用衣類において、肋骨押圧部材は、装着状態において第７肋骨を上から押えることが好ましく、このようにすれば、胸郭を押える作用が高められるとともに、安定した着用感が得られる。
【００１６】
【発明の実施の形態】
実施形態の説明に先立ち、図１ないし図５を参照して、本願発明の背景となる美しい姿勢（姿勢美）について説明する。図１は、人体の骨格の正面図であり、図２は、人体の骨格の右側面図である。図３は、図１のＩＩＩ−ＩＩＩ断面矢視図であり
、図４は、図１のＩＶ−ＩＶ断面矢視図であり、図５は、人体の肋骨部分の拡大図である。
【００１７】
本願発明者は、姿勢美を追求するにあたって、人が大きく息を吸って胸を張ったときに、美しい姿勢が実現されることに着目した。そして、人が大きく息を吸って胸を張ったときには、肋骨の上部断面が、通常状態における楕円形（図３点線部）から円形（図３実線部）に近づくように変化すること、および、肋骨の下部断面が、通常状態における楕円形（図４点線部）からより扁平した楕円形（図４実線部）に変化することを突き止め、これらの点をポイントとして姿勢美を追求した。これにより、大きく息を吸って胸を張ったときの状態は、図１ないし図４に示す力ＰＡ，ＰＢをかけることによって創り出せることが判明した。つまり、力ＰＡを、肋骨の上部にあたる胸郭側面付近からその中心部に向かう方向、すなわち、図１ないし図３に示す力ＰＡの矢印方向にかけることにより、肋骨の上部断面が、通常状態における楕円形（図３点線部）から円形（図３実線部）に近づくように変化することが判明した。また、力ＰＢを、肋骨の下部にあたる胸部前面からその脇側の内側面に向かう方向、すなわち、図１、図２および図４に示す力ＰＢの矢印方向にかけることにより、肋骨の下部断面が、通常状態における楕円形（図４点線部）からより扁平した楕円形（図４実線部）に変化することが判明した。ここで、図５に示すように、力ＰＢは、第７肋骨の胸部前面Ｒにかけることで、上述した作用を最も効果的に実現できることも判明した。
【００１８】
そこで、本願発明者は、胸郭の脇付近（図１および図２で力ＰＡの矢印にて示す位置付近）を外側からしっかりと押え、第７肋骨の胸部前面（図１および図２で力ＰＢの矢印にて示す位置付近）を前側から外側に開くように押える構造を採用すれば、息を吸って胸を張ったときの肋骨の状態が維持され、美しい姿勢が保ちやすくなるのではないかとの知見を得て、本発明を完成した。
【００１９】
以下、本発明の実施形態を図面に基づき説明する。なお、同一要素には同一符号を付し、重複する説明を省略する。
【００２０】
図６は、実施形態におけるボディスーツ（カップ付き女性用衣類）を裏返した状態で斜め前方から見た斜視図である。ボディスーツは、左右一対のカップ部１と、このカップ部の下に連なる胴部とで大略構成される。胴部は、前脇身頃４の脇側上部の裏側に一部が縫着された前脇パネル部２と、前身頃５および前脇身頃４の裏側に一部が縫着された前身頃押え布（前側押え布）３と、両カップ部１の間で前身頃５の上側にある前中心６と、前身頃５および前脇身頃４の下側にある裾布７と、前身頃４と臀布１０の下端部分を連結するクロッチ部８と、カップ部１の上縁部と後身頃９の上縁部との間に掛け渡される肩紐１１とを主要パーツとして構成されている。
【００２１】
図６に示すボディスーツの特徴は、前脇パネル部２と前身頃押え布３とを含んで構成されている点である。前脇パネル部２は、カップ部下辺縁部、背側縁部、上辺部および下辺部に囲まれた形状を成している。
【００２２】
カップ部下辺縁部は、カップ部１の下辺縁１ａの脇側部分に位置し、背側縁部は、前脇身頃４と後身頃９との接ぎライン４９の上端部分に位置し、上辺部は、前脇身頃４の脇側上縁４ａに位置する。下辺部は、その前中心側端部がカップ部１の最下点よりも少し脇側寄りの部分２ｂに位置し、その背側端部が前脇身頃４と後身頃９との接ぎライン４９の上方部分２ａに位置している。この背側端部２ａは、第７肋骨の下辺部分と第８肋骨の上辺部分との間を通るラインの延長線上に位置する。
【００２３】
前脇パネル部２は、カップ部下辺縁部、上辺部および背側縁部のそれぞれにおいて前脇身頃４に縫着されているが、下辺部は非縫着部分である。
【００２４】
また、前脇パネル部２の素材は、張りとコシを有する非伸縮性または難伸縮性の素材により構成されている。このような素材としては、例えば、ダブルラッセル＋マーキジット、パワーネット＋マーキジット、布帛＋マーキジット、圧縮ウレタンシート、不織布、あるいは樹脂（エラストマー）シートがある。
【００２５】
前身頃押え布３は、前中心下辺縁部、カップ部下辺縁部、上辺部、背側縁部、側辺部および下辺部に囲まれた形状を成している。また、前身頃押え布３は、前身頃５のサイズよりも小さなサイズで形成されている。
【００２６】
前中心下辺縁部は、前身頃５と前中心６との接ぎライン５６に位置し、カップ部下辺縁部は、カップ部１の下辺縁１ａの脇側部分に位置し、上辺部は、前脇身頃４の脇側上縁４ａに位置する。背側縁部は、前脇身頃４と後身頃９との接ぎライン４９の上端部分に位置し、下辺部は、前身頃５とクロッチ部８との接ぎライン５８に位置する。側辺部は、その上端が前述した前脇パネル部２の下辺部の背側端部２ａに位置し、側辺部の下端が前身頃５とクロッチ部８との接ぎライン５８の一端５８ａに位置する。
【００２７】
前身頃押え布３は、前中心下辺縁部、カップ部下辺縁部、上辺部、背側縁部および下辺部のそれぞれにおいて前身頃５あるいは前脇身頃４に縫着されているが、側辺部は非縫着部分である。なお、前中心下辺縁部、カップ部下辺縁部、上辺部の各部により、前身頃押え布３の上端部が形成され、下辺部により、前身頃押え布３の下端部が形成される。すなわち、前身頃押え布３は、縫着された上端部および背側縁部と、下端部との間（側辺部）は非縫着部分となる。
【００２８】
前身頃押え布３は、カップ部下辺縁部の脇側部分、上辺部、および背側縁部において、上述した前脇パネル部２と縫着されていることになる。なお、本実施形態における前脇パネル部２は、前脇身頃４と前身頃押え布３との間に挟み込まれた状態で、前脇身頃４および前身頃押え布３に縫着されている。
【００２９】
また、前身頃押え布３は、図６に示すボディスーツの斜め方向および縦方向に伸縮性を有するとともに、横方向には非伸縮または難伸縮であることを特徴とする。ここで、前身頃押え布３の素材は、緊締力を有する素材により構成されている。このような素材としては、例えば、ワンウェイパワーネット、パワーネット、あるいはツーウェイトリコットがある。なお、前身頃押え布３の表側の素材を非伸縮性または難伸縮性の素材により構成することがより好ましい。これにより、着用時に生じる前身頃押え布３のズレが低減されるため、前身頃押え布３の押える力が固定され、増強される。
【００３０】
ここで、前中心６は、縦方向および横方向に伸縮性のある素材により構成されており、前中心６の上部（図６に示す斜線部分）の裏側は、非伸縮性の素材により構成される前中心パネル部１２により覆われている。前中心６の上部は、両カップ部１の下辺縁に縫着されており、前中心６の下部は、Ｖ字形状を成して前身頃５と縫着されている。前中心パネル部１２の上部は、両カップ部１の下辺縁に縫着されているが、前中心パネル部１２の下辺縁は、非縫着部分である。
【００３１】
また、前身頃５は、縦方向に伸縮性または難伸縮性のある素材により構成されている。なお、前身頃５は、横方向に非伸縮または難伸縮の素材により構成することがより好ましい。これにより、前身頃押え布３の押える力がより身体に伝わりやすくなる。
【００３２】
また、前脇身頃４および後身頃９は、横方向に伸縮性のある素材により構成され、裾布７および臀布１０は、伸縮性のある素材により構成されている。
【００３３】
本実施形態におけるボディスーツは、このような前脇パネル部２と前身頃押え布３とを備えることにより、以下に記載する効果を有する。まず、ボディスーツを着用すると、着用者の体長に合わせて前身頃押え布３および胴部（特に前中心６、前身頃５、前脇身頃４、および後身頃９）が伸長されるため、前身頃押え布３および胴部には、元に戻ろうとする力（縮もうとする力）が生じる。そして、この元に戻ろうとする力が、前脇身頃４に一部が縫着されている前脇パネル部２に作用する。これにより、非伸縮性または難伸縮性の前脇パネル部２が、胸郭の脇付近を、外側からしっかりと押える役目を果たすこととなる。すなわち、前身頃押え布３および胴部に生じた力が、前脇パネル部２に作用することによって、肋骨の上部断面が、通常状態における楕円形（図３点線部参照）から円形（図３実線部参照）に近づくように変化することになる。
【００３４】
また、上述した元に戻ろうとする力は、前中心６の上部裏側にある非伸縮性または難伸縮性の前中心パネル部１２にも作用する。これにより、前中心パネル部１２は、胸郭の前面付近を、前側からしっかりと押える役目を果たすとともに、前脇パネル部２に作用する力を増強する役目も果たす。したがって、肋骨の上部断面の形状が、より円形（図３実線部参照）に近づくように変化することになる。
【００３５】
さらに、前身頃押え布３のサイズが、前身頃５のサイズよりも小さく形成されているため、前身頃押え布３には、サイズが同じ場合に比べて、より大きな緊締力が生じる。これにより、前脇パネル部２の押える力がより増強されるため、肋骨の上部断面の形状が、より円形（図３実線部参照）に近づくように変化することになる。
【００３６】
また、ボディスーツを着用すると、前身頃押え布３には、元に戻ろうとする力が生じるが、この前身頃押え布３が、略Ｖ字形に形成されているため、前身頃押え布３のカップ部１下側付近（第７肋骨の胸部前面付近）に生じた元に戻ろうとする力は、カップ部１の下側付近から当該Ｖ字形の上端となる前脇身頃４の脇側上縁４ａに向かう方向（斜め方向）に作用する。これにより、前身頃押え布３が、第７肋骨の胸部前面を、前側から外側に開くように押える役目を果たすこととなる。すなわち、前身頃押え布３のカップ部１下側付近に生じる力によって肋骨の下部断面が、通常状態における楕円形（図４点線部参照）から、より扁平した楕円形（図４実線部参照）に変化することになる。
【００３７】
また、前身頃押え布３のサイズが、前身頃５のサイズよりも小さく形成されているため、前身頃押え布３には、サイズが同じ場合に比べて、より大きな緊締力が生じる。これにより、前身頃押え布３の押える力がより増強されるため、肋骨の下部断面の形状が、より扁平した楕円形（図４実線部参照）に変化することになる。
【００３８】
図７および図８を参照して、本実施形態におけるボディスーツの表側の布（図７実線部分）と裏側の布（図８破線部分）との位置関係について説明する。図７は、ボディスーツを着用した状態の正面図である。図８は、ボディスーツを着用した状態で斜め前方から見た斜視図である。図７および図８に示すように、ボディスーツは、左右一対のカップ部１と、前脇身頃４と、前身頃５と、前中心６と、裾布７と、後身頃９と、臀布１０と、肩紐１１と、前脇パネル部２と、前身頃押え布３とを主要パーツとして構成されている。図８に示すように、前脇パネル部２は、前脇身頃４の脇側上部の裏側に位置し、前脇身頃４と前身頃押え布３との間に挟まれる状態で、その一部を除いて前脇身頃４および前身頃押え布３に縫着されている。また、前身頃押え布３は、前脇身頃４および前身頃５の裏側に位置し、その一部が前身頃５および前脇身頃４に縫着されている。
【００３９】
図９は、図６に示すボディスーツの変形例であるボディスーツを裏返した状態の斜視図である。図６に示すボディスーツと異なる点は、前身頃押え布３（３Ｘ）の形状が相違する点である。まず、一つ目の相違点は、前身頃押え布３（３Ｘ）の側辺部の形状が異なる点である。図９に示す前身頃押え布３Ｘの側辺部は、前脇パネル部２の下辺部の背側端部２ａを下端とする直線部分３ｂと、腹部中心方向に凹む湾曲部分３ｃと、下腹部付近にある緩やかな曲線部分３ｄとにより構成されている。このうち直線部分３ｂは前脇身頃４および前脇パネル部２に縫着されており、曲線部分３ｄは前身頃５あるいは前脇身頃４に縫着されているが、湾曲部分３ｃは非縫着部分である。
【００４０】
二つ目の相違点は、図９に示す前身頃押え布３Ｘの前中心下辺縁部（Ｖ字形状）の凹み具合が、図６に示す前中心下辺縁部の凹み具合よりも浅い点である。これは、前身頃押え布３Ｘの側辺部に湾曲部分３ｃを設けたため、この湾曲の度合いに合わせて、前中心下辺縁部（Ｖ字形状）の凹み具合を浅くしたものである。すなわち、前身頃押え布３Ｘのカップ部１下側付近（第７肋骨の胸部前面付近）から前脇身頃４の脇側上縁４ａに向けて作用する力の大きさや向きが最適となるように、湾曲部分３ｃと接ぎライン５６との位置関係を調整したものである。
【００４１】
このような前身頃押え布３Ｘは、略Ｙ字形に形成されているため、ボディスーツを着用することによって前身頃押え布３Ｘのカップ部１下側付近（第７肋骨の胸部前面付近）に生じた元に戻ろうとする力は、カップ部１の下側付近から当該Ｙ字形の上端となる前脇身頃４の脇側上縁４ａに向かう方向に作用する。これにより、前身頃押え布３Ｘが、第７肋骨の胸部前面を、前側から外側に開くように押える役目を果たすこととなる。また、ボディスーツを着用することによって前身頃押え布３Ｘおよび胴部に生じた元に戻ろうとする力が、前脇身頃４に一部が縫着されている前脇パネル部２に作用する。これにより、前脇パネル部２が、胸郭の脇付近を、外側からしっかりと押える役目を果たすこととなる。
【００４２】
図１０は、図６に示すボディスーツの変形例であるボディスーツを裏返した状態の斜視図である。図６に示すボディスーツと異なる点は、前脇パネル部２（２Ｙ）および前身頃押え布３（３Ｙ）の形状が相違する点である。まず、一つ目の相違点は、前脇パネル部２（２Ｙ）の下辺部の形状が異なる点である。図１０に示す前脇パネル部２Ｙの下辺部は、第１の下辺部と、第２の下辺部とにより構成されている。第２の下辺部は、その背側端部が前脇パネル部２Ｙの背側縁部の下端２ａに位置し、第２の下辺部の腹部側端部が第２の下辺部の背側端部２ａから腹部中心方向に移動した部分２ｃに位置する。第１の下辺部は、その上端が前脇パネル部２Ｙのカップ部下辺縁部の下端２ｂに位置し、第１の下辺部の下端が第２の下辺部の腹部側端部２ｃに位置する。すなわち、下辺部は、その前中心側端部２ｂと背側端部２ａの間の部分が、腹部中心方向に凸状に張り出した形状となる。このような前脇パネル部２Ｙを備えることにより、前脇パネル部２Ｙに覆われる胸郭の範囲が拡大するため、胸郭の脇付近を外側からしっかりと押える効果が増大する。なお、第２の下辺部は、前脇身頃４に縫着されているが、第１の下辺部は非縫着部分となる。
【００４３】
二つ目の相違点は、前身頃押え布３（３Ｙ）の側辺部の形状が異なる点と、前身頃押え布３の下辺部が存在しない点である。図１０に示す前身頃押え布３Ｙの側辺部は、前脇パネル部２Ｙの第２の下辺部分３ｅと、前脇パネル部２Ｙの第１の下辺部を下腹部方向に延長した直線部分３ｆと、腹部中心付近を端点３ｗとして脇側斜め上方向に伸びる直線部分３ｇとにより構成されている。図１０に示す前身頃押え布３Ｙは、少なくとも肋骨下部の胸部前面を覆っている。
【００４４】
三つ目の相違点は、図１０に示す前身頃押え布３Ｙの前中心下辺縁部（Ｖ字形状）の凹み具合が、図６に示す前中心下辺縁部の凹み具合よりも浅い点である。これは、前身頃押え布３Ｙの側辺部に直線部分３ｅ、直線部分３ｆおよび直線部分３ｇにより形成される切り込み部分を設けたため、この切り込みの度合いに合わせて、前中心下辺縁部（Ｖ字形状）の凹み具合を浅くしたものである。すなわち、前身頃押え布３Ｙのカップ部１下側付近（第７肋骨の胸部前面付近）から前脇身頃４の脇側上縁４ａに向けて作用する力の大きさや向きが最適となるように、直線部分３ｅ、直線部分３ｆおよび直線部分３ｇと前中心下辺縁部との位置関係を調整したものである。
【００４５】
このような前身頃押え布３Ｙは、略Ｙ字形に形成されているため、ボディスーツを着用することによって前身頃押え布３Ｙのカップ部１下側付近（第７肋骨の付近）に生じた元に戻ろうとする力は、カップ部１の下側付近から当該Ｙ字形の上端となる前脇身頃４の脇側上縁４ａに向かう方向に作用する。これにより、前身頃押え布３Ｙが、第７肋骨の胸部前面を、前側から外側に開くように押える役目を果たすこととなる。また、ボディスーツ着用することによって前身頃押え布３Ｙおよび胴部に生じた元に戻ろうとする力が、前脇身頃４に一部が縫着されている前脇パネル部２Ｙに作用する。これにより、前脇パネル部２Ｙが、胸郭の脇付近を外側からしっかりと押える役目を果たすこととなる。
【００４６】
図１１は、図６に示すボディスーツの変形例であるボディスーツを裏返した状態の斜視図である。図６に示すボディスーツと異なる点は、前脇パネル部２（２Ｚ）および前身頃押え布３（３Ｚ）の形状が相違する点である。まず、一つ目の相違点は、前脇パネル部２（２Ｚ）のカップ部下辺縁部および下辺部の形状が異なる点である。図１１に示す前脇パネル部２のカップ部下辺縁部は、その下端がカップ部１の最下点よりも少し前中心側寄りの部分２ｄに位置する。また、図１１に示す前脇パネル部２Ｚの下辺部は、第１の下辺部と第２の下辺部とにより構成されている。第２の下辺部は、その背側端部が前脇パネル部２Ｚの背側縁部の下端２ａに位置し、第２の下辺部の腹部側端部が第２の下辺部の背側端部２ａから腹部中心方向に移動した部分２ｃに位置する。第１の下辺部は、その上端が前脇パネル部２Ｙのカップ部下辺縁部の下端２ｄに位置し、第１の下辺部の下端が第２の下辺部の腹部側端部２ｃに位置する。すなわち、下辺部は、その前中心側端部２ｄと背側端部２ａとの間の部分が、腹部中心方向に凸状に張り出した形状となる。このような前脇パネル部２Ｚを備えることにより、前脇パネル部２Ｚに覆われる胸郭の範囲が拡大するため、胸郭の脇付近を外側からしっかりと押える効果が増大する。なお、第２の下辺部は、前脇身頃４に縫着されているが、第１の下辺部は非縫着部分となる。
【００４７】
二つ目の相違点は、前身頃押え布３（３Ｚ）の側辺部および下辺部の形状が異なる点である。図１１に示す前身頃押え布３Ｚの側辺部は、前脇パネル部２Ｚの第２の下辺部分３ｈと、前脇パネル部２Ｚの第１の下辺部を下方向に延長した緩やかな曲線部分３ｉとにより構成されている。また、図１１に示す前身頃押え布３Ｚの下辺部は、クロッチ部８の全幅に渡って存在するのではなく、クロッチ部８の両端部から少し中心よりの位置に存在する。なお、直線部分３ｈは前脇身頃４および前脇パネル部２Ｚに縫着されているが、曲線部分３ｉは非縫着部分である。
【００４８】
三つ目の相違点は、図１１に示す前身頃押え布３Ｚの前中心下辺縁部（Ｖ字形状）の凹み具合が、図６に示す前中心下辺縁部の凹み具合よりも浅い点である。これは、前身頃押え布３Ｚの側辺部に直線部分３ｈおよび曲線部分３ｉにより形成される切り込み部分を設けたため、この切り込みの度合いに合わせて、前中心下辺縁部（Ｖ字形状）の凹み具合を浅くしたものである。すなわち、前身頃押え布３Ｚのカップ部１下側付近（第７肋骨の胸部前面付近）から前脇身頃４の脇側上縁４ａに向けて作用する力の大きさや向きが最適となるように、直線部分３ｈおよび曲線部分３ｉと前中心下辺縁部との位置関係を調整したものである。
【００４９】
このような前身頃押え布３Ｚは、略Ｙ字形に形成されているため、ボディスーツを着用することによって前身頃押え布３Ｚのカップ部１下側付近（第７肋骨の胸部前面付近）に生じた元に戻ろうとする力は、カップ部１の下側付近から当該Ｙ字形の上端となる前脇身頃４の脇側上縁４ａに向かう方向に作用する。これにより、前身頃押え布３Ｚが、第７肋骨の胸部前面を、前側から外側に開くように押える役目を果たすこととなる。また、ボディスーツを着用することによって前身頃押え布３Ｚおよび胴部に生じた元に戻ろうとする力が、前脇身頃４に一部が縫着されている前脇パネル部２Ｚに作用する。これにより、前脇パネル部２Ｚが、胸郭の脇付近を外側からしっかりと押える役目を果たすこととなる。
【００５０】
次に、図１２ないし図１４を参照して、本実施形態におけるストラップレスのワイヤー型ブラジャー（カップ付き女性用衣類）について説明する。図１２は、ブラジャーの正面図であり、図１３は、ブラジャーをダミーボディに装着させた状態の正面図であり、図１４は、ブラジャーをダミーボディに装着させた状態で斜め前方から見た斜視図である。図１２ないし図１４に示すように、ブラジャーは、下辺縁にカップワイヤー１１１を有する左右一対のカップ部１０１と、カップ部１０１の間にある前中心１２１からカップ部１０１の下側にあるアンダー部分１２２を経てカップ部１０１の脇側にある脇部分１２３までを含む土台部１０２と、土台部１０２の背側に続くバック部１０３とを主要なパーツとして構成されている。なお、伸縮性（特に左右に引く方向の伸縮性）を有するバック部１０３の端部には、係脱自在のホック１０７が取り付けられている。
【００５１】
カップ部１０１は、丸みを帯びた円錐形に類似のカップ形状に立体成型されている。土台部１０２は、伸縮性（特にバック部１０３によって左右に引かれる方向の伸縮性）を有する素材を含んで形成され、前中心１２１で左右のパーツが互いに縫着されて左右一体の土台部１０２を構成している。土台部１０２は、装着者のバスト下部（いわゆるバージスラインの下部）にフィットするように凹型に湾曲した上辺縁を有し、この上辺縁がカップ部１０１の下辺縁と対向し、互いに縫着されている。
【００５２】
土台部１０２は、従来品のブラジャーに比べて４［ｃｍ］程、幅広に形成されている。これは、図５に示すように、従来品のブラジャーの土台部下辺縁は、第６肋骨の下辺部分と第７肋骨の上辺部分との間を通るラインＳ付近に形成されているのに対し、本実施形態におけるブラジャーの土台部１０２下辺縁は、第７肋骨の下辺部分と第８肋骨の上辺部分との間を通るラインＴ付近に形成されていることに起因している。すなわち、このラインＳの位置とラインＴの位置との間には、およそ４［ｃｍ］の差がある。また、土台部１０２の下辺縁は、カップ部１０１の下辺縁の湾曲（凹型）に対応するように緩やかに湾曲（凹型）している。
【００５３】
ここで、前中心１２１は、縦方向および横方向に伸縮性のある素材により構成されており、前中心１２１の上部の裏側は、非伸縮性または難伸縮性の素材により構成される前中心パネル部１０６により覆われている。前中心１２１の上部は、両カップ部１０１の内側下辺縁に縫着されており、前中心１２１の下部脇側は、アンダー部分１２２と縫着されている。前中心パネル部１０６の脇側は、両カップ部１０１の内側下辺縁に縫着されているが、前中心パネル部１０６の下辺縁は、非縫着部分である。
【００５４】
図１２ないし図１４のブラジャーの特徴は、カップ部１０１の脇側付近を覆う前脇パネル部１０５と、カップ部１０１の下辺縁に連なり、土台部１０２のアンダー部分１２２および脇部分１２３の一部に対応する部分を覆う前側押え布１０８と、プラスチック製のボーン等からなる肋骨押圧部材１０４とを含んで構成されている点である。
【００５５】
前脇パネル部１０５は、可撓性と保形性を有する非伸縮性または難伸縮性の素材、例えばダブルラッセル、パワーネット、圧縮不織布、樹脂のような張りとコシのある生地により構成される。なお、装着者の胸郭の脇をしっかりと掴んで押えるパワーを増大すべく、前脇パネル部１０５にボーンやワイヤー等の芯材を付加してもよい。
【００５６】
前脇パネル部１０５は、カップ部脇側下辺縁部、背側縁部、上辺部、下辺部に囲まれた形状を成している。前脇パネル部１０５のカップ部脇側下辺縁部は、カップ部１０１の下辺縁の脇側部分に位置する。前脇パネル部１０５の背側縁部は、脇部分１２３とバック部１０３との接ぎラインに位置するとともに、背側縁部の上端１０５ｄがその下端１０５ｃの背側に位置するライン状（垂直方向に対して傾斜したライン状）になっている。また、前脇パネル部１０５の上辺部は、土台部１０２の上辺縁と一致している。前脇パネル部１０５の下辺部は、その前中心側端部がカップ部１０１の最下点よりも少し脇側寄りの部分１０５ｂに位置し、その背側端部が土台部１０２とバック部１０３との接ぎラインの下端１０５ｃに位置している。この背側端部１０５ｃは、第７肋骨の下辺部分と第８肋骨の上辺部分との間を通るラインの延長線上に位置する。なお、前脇パネル部１０５は、土台部１０２の裏側に、カップ部１０１下辺縁部から背側縁部までの範囲を覆うように縫着されている。
【００５７】
前側押え布１０８は、図１２に示すブラジャーの斜め方向および縦方向に伸縮性を有するとともに、横方向には非伸縮または難伸縮であることを特徴とする。ここで、前側押え布１０８の素材は、緊締力を有する素材により構成されている。このような素材としては、例えば、ワンウェイパワーネット、パワーネット、あるいはツーウェイトリコットがある。
【００５８】
前側押え布１０８は、前中心側縁部、カップ部下辺縁部、前脇パネル部下辺部、土台部下辺縁部に囲まれた形状を成している。前側押え布１０８の前中心側縁部は、前中心１２１とアンダー部１２２との接ぎラインに位置する。前側押え布１０８のカップ部下辺縁部は、カップ部１０１の下辺縁の最下点を含む下部側に位置する。前側押え布１０８の前脇パネル部下辺部は、前脇パネル部１０５の下辺部に位置している。また、前側押え布１０８の土台部下辺縁部は、土台部１０２の下辺縁と一致している。なお、前側押え布１０８は、土台部１０２の裏側に縫着されている。
【００５９】
肋骨押圧部材１０４は、前側押え布１０８の裏側に付設され、縦方向に延びた縦長に形成されている。肋骨押圧部材１０４は、その上端がカップ部１０１の下辺縁に位置し、その下端が土台部１０２の下辺縁に位置する。この位置は、ブラジャー装着時に、第７肋骨の胸部前面に当接する位置となる。すなわち、肋骨押圧部材１０４は、ブラジャーが装着されると、第７肋骨を上から押えることになる。
【００６０】
本実施形態におけるブラジャーは、このような前脇パネル部１０５と前側押え布１０８と肋骨押圧部材１０４とを備えることにより、以下に記載する効果を有する。まず、ブラジャーを装着すると、装着者の胸囲に合わせて前中心１２１およびバック部１０３が伸長されるため、前中心１２１およびバック部１０３には、元に戻ろうとする力（縮もうとする力）が生じる。そして、この元に戻ろうとする力が、バック部１０３に縫着されている前脇パネル部１０５および前中心１２１に作用する。これにより、非伸縮性の前脇パネル部１０５が、胸郭の脇付近を、外側からしっかりと押える役目を果たすこととなる。すなわち、前中心１２１およびバック部１０３に生じた力が、前脇パネル部１０５に作用することによって、肋骨の上部断面が、通常状態における楕円形（図３点線部参照）から円形（図３実線部参照）に近づくように変化することになる。
【００６１】
また、上述した元に戻ろうとする力は、前中心パネル部１０６および前側押え布１０８にも作用する。これにより、前中心パネル部１０６および前側押え布１０８は、胸郭の前面付近を、前側からしっかりと押える役目を果たすとともに、前脇パネル部１０５に作用する力を増強する役目も果たす。したがって、肋骨の上部断面の形状が、より円形（図３実線部参照）に近づくように変化することになる。
【００６２】
また、ブラジャーを装着すると、前中心１２１およびバック部１０３には、元に戻ろうとする力が生じる。これにより、前側押え布１０８の裏側に付設された肋骨押圧部材１０４にこの力が作用し、この肋骨押圧部材１０４が、第７肋骨の胸部前面を、前側から外側に開くように押える役目を果たすこととなる。すなわち、前中心１２１およびバック部１０３に生じた力が前側押え布１０８および肋骨押圧部材１０４に作用することによって、肋骨の下部断面が、通常状態における楕円形（図４点線部参照）からより扁平した楕円形（図４実線部参照）に変化することになる。
【００６３】
また、前中心１２１およびバック部１０３に生じた元に戻ろうとする力は、前中心６の上部裏側にある非伸縮性または難伸縮性の前中心パネル部１２にも作用する。これにより、前中心パネル部１２は、胸郭の前面付近を、前側からしっかりと押える役目を果たすことになるため、前側押え布１０８および肋骨押圧部材１０４に作用する力が増強される。したがって、肋骨の下部断面の形状が、より扁平した楕円形（図４実線部参照）に変化することになる。
【００６４】
なお、上述した実施形態におけるボディスーツの前脇パネル部２の下辺部は、図１５に示すように、両カップ部１２の最下点を結ぶラインの延長線上Ｌまたは当該延長線上Ｌよりも下側に位置することが好ましい。すなわち、前脇パネル部２の下辺部が、両カップ部１２の最下点を結ぶラインの延長線上Ｌに達していれば、胸郭の脇側付近が前脇パネル部２によって外側からしっかりと押えられ、肋骨の上部断面を通常状態における楕円形（図３点線部参照）から円形（図３実線部参照）に近づくように変化させることができる。また、これと同様に、上述した実施形態におけるブラジャーの前脇パネル部１０５の下辺部についても、両カップ部１０１の最下点を結ぶラインの延長線上または当該延長線上よりも下側に位置することが好ましい。
【００６５】
また、上述した実施形態におけるボディスーツでは、前脇パネル部２の背側縁部が、前脇身頃４と後身頃９との接ぎライン４９の上端部分に位置しているが、必ずしも接ぎライン４９上に位置する必要はない。ボディスーツによっては、接ぎライン４９が存在しないものや、接ぎライン４９の位置が全く異なる位置に設けられるものがあるからである。したがって、前脇パネル部２の背側縁部は、人体の腋窩線（中腋窩線）上に位置することが好ましい。また、これと同様に、上述した実施形態におけるブラジャーの前脇パネル部１０５の背側縁部についても、人体の腋窩線（中腋窩線）上に位置することが好ましい。
【００６６】
また、上述した実施形態におけるボディスーツでは、前脇パネル部２が、前脇身頃４の裏側に縫着されているが、必ずしも前脇身頃４の裏側に縫着されている必要はない。例えば、前脇パネル部２を、前脇身頃４の表側に縫着してもよい。また、これと同様に、上述した実施形態におけるブラジャーの前脇パネル部１０５を、土台部１０２の表側に縫着してもよい。なお、前脇パネル部１０５は、必ずしも土台部１０２に縫着されている必要はなく、接ぎ合わせであってもよい。
【００６７】
また、上述した実施形態におけるボディスーツでは、前中心パネル部１２が、前中心６の裏側に縫着されているが、必ずしも前中心６の裏側に縫着されている必要はない。例えば、前中心パネル部１２を、前中心６の表側に縫着してもよい。また、これと同様に、上述した実施形態におけるブラジャーの前中心パネル部１０６を、前中心１２１の表側に縫着してもよい。
【００６８】
また、上述した実施形態におけるボディスーツでは、前脇パネル部２が、前身頃押え布３に覆われているが、必ずしも前脇パネル部２を前身頃押え布３で覆う必要はない。例えば、図６に示すボディスーツの場合には、前身頃押え布３が、前中心下辺縁部、カップ部下辺縁部、前脇パネル部２の下辺部、側辺部および下辺部に囲まれた形状を成していてもよい。この場合に、前身頃押え布３は、上端部（前中心下辺縁部、カップ部下辺縁部、前脇パネル部２の下辺部）と下端部（下辺部）において、前身頃５あるいは前脇身頃４に縫着されていればよい。
【００６９】
また、上述した実施形態におけるブラジャーでは、前側押え布１０８が、土台部１０２の裏側に縫着されているが、必ずしも土台部１０２の裏側に縫着されている必要はない。例えば、前側押え布１０８を、土台部１０２の表側に縫着してもよい。なお、前側押え布１０８は、必ずしも土台部１０２に縫着されている必要はなく、接ぎ合わせであってもよい。
【００７０】
また、上述した実施形態におけるブラジャーでは、肋骨押圧部材１０４が、前側押え布１０８の裏側に縫着されているが、必ずしも前側押え布１０８の裏側に縫着されている必要はない。例えば、肋骨押圧部材１０４を、前側押え布１０８の表側に縫着してもよい。
【００７１】
また、上述した実施形態におけるブラジャーの前脇パネル部１０５の下辺部は、前中心側端部１０５ｂと背側端部１０５ｃとの間が直線ライン状に形成されているが、必ずしも直線ライン状に形成されている必要はなく、例えば、前中心側端部１０５ｂと背側端部１０５ｃとの間が、腹部中心方向に凸状に張り出した形状であってもよい。
【００７２】
また、上述した実施形態におけるブラジャーでは、前脇パネル部１０５と前側押え布１０８とが備えられているが、必ずしも前脇パネル部１０５と前側押え布１０８の両方を備える必要はない。例えば、前側押え布１０８を備えずに、この前側押え布１０８で覆われている部分を前脇パネル部１０５でカバーしてもよい。この場合における前脇パネル部１０５は、アンダー部分１２２と脇部分１２３に対応する部分を覆うこととなる。
【００７３】
また、上述した実施形態におけるブラジャーでは、肋骨押圧部材１０４の上端が、カップ部１０１の下辺縁に位置しているが、必ずしもカップ部１０１の下辺縁に位置する必要はない。少なくとも、肋骨押圧部材１０４の下端が土台部１０２の下辺縁に位置し、肋骨押圧部材１０４の上端が土台部１０２の下辺縁とカップ部１０１の下辺縁との中間位置よりも上部に位置していればよい。
【００７４】
次に、試作例のボディスーツおよびブラジャーで着用感テストを行ったところ、「肩が動かしやすい」、「姿勢が良くなった」という結果が従来品よりも多く得られた。これにより、本実施形態におけるボディスーツおよびブラジャーには、姿勢を整える効果があることが裏付けられた。
【００７５】
最後に、本発明は、ボディスーツおよびブラジャーの前脇パネル部２，１０５で脇から肋骨を押えるとともに、ボディスーツの前身頃押え布３あるいはブラジャーの肋骨押圧部材１０４で第７肋骨の胸部前面を押えることにより、息を吸い込んだ状態の胸郭を創り出すという点を基本構成としている。これにより、猫背タイプの人も背筋が伸び、いわゆるシャキット感を体感させることが可能となる。かかる構成であれば、上記の実施形態や変形例に限らず、種々の態様が可能である。
【００７６】
例えば、前脇パネル部の形状や前身頃押え布の形状は、上述した実施形態における形状に限らず、他の形状であってもよく、肋骨押圧部材は、１本に限らず、複数本のボーンを並べて構成してもよい。また、ブラジャーは後ホックタイプに限らず、フロントホックタイプのブラジャーでも良い。
【００７７】
【発明の効果】
本発明に係る姿勢矯正用のカップ付き女性用衣類によれば、深呼吸の吸気時のように背筋を伸ばして胸を張った状態が実現できるので、着用者の脊柱を直立させる効果が高く、脊柱の動きを阻害しないという、優れた効果が期待できる。
【図面の簡単な説明】
【図１】人体の骨格を示す正面図である。
【図２】人体の骨格を示す右側面図である。
【図３】図１のＩＩＩ−ＩＩＩ断面矢視図である。
【図４】図１のＩＶ−ＩＶ断面矢視図である
【図５】人体の肋骨部分の拡大図である。
【図６】実施形態におけるボディスーツを裏返した状態で斜め前方から見た斜視図である。
【図７】ボディスーツを着用した状態の正面図である。
【図８】ボディスーツを着用した状態で斜め前方から見た斜視図である。
【図９】変形例におけるボディスーツを裏返した状態の斜視図である。
【図１０】変形例におけるボディスーツを裏返した状態の斜視図である。
【図１１】変形例におけるボディスーツを裏返した状態の斜視図である。
【図１２】実施形態におけるブラジャーの正面図である。
【図１３】実施形態におけるブラジャーをダミーボディに着用させた状態の正面図である。
【図１４】実施形態におけるブラジャーをダミーボディに着用させた状態で斜め前方から見た斜視図である。
【図１５】変形例におけるボディスーツを裏返した状態で斜め前方から見た斜視図である。
【符号の説明】
１，１０１・・・カップ部、２，２Ｙ，２Ｚ，１０５・・・前脇パネル部、２ｂ，２ｄ，１０５ｂ・・・前脇パネル部下辺部の前中心側端部、２ａ，１０５ｃ・・・前脇パネル部下辺部の背側端部、３・・・前身頃押え布、４・・・前脇身頃、５・・・前身頃、６，１２１・・・前中心、１２，１０６・・・前中心パネル部、７・・・裾布、８・・・クロッチ部、９・・・後身頃、１０・・・臀布、１１・・・肩紐、１０２・・・土台部、１０３・・・バック部、１０４・・・肋骨押圧部材、１０７・・・ホック、１０８・・・前側押え布、１１１・・・カップワイヤー、１２２・・・アンダー部分、１２３・・・脇部分。
【図１】
2004332144.tif 000003
【図２】
2004332144.tif 000004
【図３】
2004332144.tif 000005
【図４】
2004332144.tif 000006
【図５】
2004332144.tif 000007
【図６】
2004332144.tif 000008
【図７】
2004332144.tif 000009
【図８】
2004332144.tif 000010
【図９】
2004332144.tif 000011
【図１０】
2004332144.tif 000012
【図１１】
2004332144.tif 000013
【図１２】
2004332144.tif 000014
【図１３】
2004332144.tif 000015
【図１４】
2004332144.tif 000016
【図１５】
2004332144.tif 000017